(57)【要約】      （修正有）【課題】枡酒に使用される枡について、持ちやすく、かつ飲みやすさを向上させるとともに、運搬にも便利な枡を提供すること。【解決手段】枡酒に使用される枡１００において、上面が開放された直方体からなり、対向する側面１０，２０に１又は２以上の棒状又は紐状のものを通すことができる貫通孔３０ａ，３０ｂが形成されているものとした。係る枡を使用することによって、枡を把持する際には、指が貫通孔に引っかかるので、枡が指から滑って落ちるのを防止することができる。また、貫通孔から酒を飲むことになるので、口の左右から酒がこぼれるのを防ぐことができる。さらに、複数の枡の貫通孔に紐を通すことによって複数の枡を連結することができ、多数の枡をまとめて運ぶことができる。【選択図】図１
2011015717.tif 000002
【特許請求の範囲】
【請求項１】
上面が開放された直方体又は多角柱からなり、
対向する側面に１又は２以上の貫通孔が形成されていることを特徴とする枡。
【請求項２】
前記貫通孔は、棒状体が対向する側面を挿通可能に形成されていることを特徴とする請求項１記載の枡。
【請求項３】
前記貫通孔は、棒状体が挿入されていることを特徴とする請求項１又は２に記載の枡。
【請求項４】
前記貫通孔は、複数の棒状体が挿入されていることを特徴とする請求項１から３のいずれか１項に記載の枡。
【請求項５】
少なくとも１つの任意の側面に突起部を設けたことを特徴とする請求項１から４のいずれかに記載の枡。
【請求項６】
前記請求項２から５の何れか１項に記載の枡の貫通孔に棒状体を通し、
複数の前記枡を連結されてなることを特徴とする枡及び棒状体。
【発明の詳細な説明】
【技術分野】
【０００１】
本発明は、枡に関する。
【背景技術】
【０００２】
従来、枡酒用の枡としては、木製でできた箱形の枡が知られている。日本においては、お祝い時や縁起を担ぐ場合に、こうした枡で日本酒を飲むことが慣習として行われてきた。
【０００３】
しかし、従来の枡は、枡の辺に口の形状が合わないため、枡を傾けて飲もうとすると、図１９に示すように、酒が口の左右からこぼれて、服が汚れるという問題点があった。また、枡は、側面が平面で形成されているため、酒を注がれた際や、枡が濡れている場合に、枡をうっかり落としてしまうということも多々発生した。さらに、枡を積み上げて運搬しようとすると、積み上げられた枡は不安定で崩れ落ちてしまうので、運搬しづらいという問題点もあった。
【発明の概要】
【発明が解決しようとする課題】
【０００４】
そこで、本発明は、持ちやすく、かつ飲みやすさを向上させるとともに、運搬にも便利な枡を提供することにある。また、人に安心感や期待感を与えるという副次的効果を有する枡を提供することにある。
【課題を解決するための手段】
【０００５】
以上のような課題を解決するために、本発明が採った手段は以下の通りである。
【０００６】
本発明に係る枡は、上面が開放された直方体又は多角柱からなり、対向する側面に１又は２以上の貫通孔が形成されている。
【０００７】
本発明に係る枡を使用して酒を飲む際には、側面に形成された貫通孔から酒を飲むことができるので、従来の枡のように口の左右から酒がこぼれるということがない。また、貫通孔の一部に指を入れるか、又は引っ掛けるかすることができるので、指先で枡をしっかりと保持することができ、枡が滑り落ちるのを防止できる。よって、この場合の孔の大きさは、指の大きさ程度に形成することが好ましい。望ましくは１ｃｍから２ｃｍ程度である。さらに、貫通孔に紐や棒を通して複数の枡を連結することができるので、まとめて安全に運搬することができる。尚、孔の大きさは指先で枡を保持する目的以外に棒や紐を通す場合などは、その太さに応じた大きさにすればよい。
【０００８】
また、本発明に係る枡において、前記貫通孔は、棒状体が対向する両側面を挿通可能に形成してもよい。なお、貫通孔は、必ずしも側面に完全に円形孔が空いている必要はなく、一部が枡の辺まで到達し、一部が欠けてもよい（例えば、図９参照）。
【０００９】
係る構成を採用することによって、棒状体を取り付ける前であれば、前述した貫通孔を有する枡と同様の効果を有する。また、枡の長さより長い棒状体を挿通させ、枡の両側面から１ｃｍから３ｃｍ程度突出するように棒状体を貫通させれば、この両側面から突出した棒状体に指を掛けて枡を持つことができる。従って、枡を滑り落とすことを防止することができる。さらに、貫通孔に長い棒状体、Ｕ字状又はコの字状の棒状体を通せば複数の枡を連結することができるので、まとめて安全に運搬することができる。
【００１０】
さらに、枡酒は祝い事、願い事等を祈願して酒を飲む際に使用されることが多々あり、枡酒として酒を飲む前に、枡を神前に供えて清めることで縁起物の枡酒としたり、枡にお札やお守りを飾り付けたりして願を掛けたり縁起を担いだりすることが、風習として残っている地域がある。こうした場合に、前記構成の枡によれば、棒状体が枡内側に架設されるので、棒状体と側壁との間に比較的厚みのある木製のお札やお守りを斜めに立てかけることで、枡酒を飲む前に容易に願を掛けたり、縁起を担いだりすることができる。
【００１１】
また、携帯電話が普及して多くの人が持ち歩く時代となっているが、勉学や仕事等で机に向かっているときに携帯電話が鳴った場合に、電話を直ちに受けられるように、ポケットやバッグから出して机に置く場合がある。こうした場合、書類の中に電話機が埋もれてしまい見失ってしまって、電話が鳴ってもすぐに出られなかったり、外出時に携帯することを忘れてしまう場合がある。こうした状態を解決するために携帯電話を机の上に置いた枡内に立てかけておけば、携帯電話を見失うことなく速やかに電話に出ることができる。また、この枡は前述したように縁起物であるので、例えば、「受験合格し枡」、「商売繁盛し枡」、「受験合格御守枡」又は「商売繁盛御守枡（商売繁盛を守ります）」などの文字と共になれば、縁起を担ぐ人にとっては、携帯電話に縁起よさがつき、安心感や期待感が生じ精神的な支えになる。
【００１２】
さらに、本発明に係る枡において、前記貫通孔は、棒状体が予め挿入されていてもよい。係る構成を採用することによって、改めて棒状体を挿通することなく、前述の効果を有することができる。
【００１３】
さらに、本発明に係る枡において、前記貫通孔は、棒状体が複数挿入されていてもよい。係る構成を採用することによって、２本の棒状体の間には比較的厚みが薄い紙のお札やお守りを垂直に近い状態で立てることができる（例えば、図１１参照）。
【００１４】
さらに、本発明に係る枡において、少なくとも１つの任意の側面に突起部を設けてもよい。
【００１５】
係る構成を採用すれば、持ちやすさを向上させることができる。また、その形状を工夫することで、枡に美的外観を与えることができる。なお、突起の数は限定するものではなく、１つでも二つでもよいし、設けられる側面についてもいずれの側面に設けても構わない。
【００１６】
本発明に係る枡及び棒状体は、前述の枡のうち、棒状体を貫通可能な枡を用いて、枡の貫通孔に棒状体を通し、複数の枡を連結してある。係る構成を採用することによって、複数の枡を連結することができる。従って、複数の枡をまとめて運搬することができる。さらに、販売時には、「結ばれ枡」、「ご縁あり枡」、「縁結び枡」、「縁御守りし枡」「縁結び御守枡（縁結びを守ります）」又は「団結し枡」といったようなよい響きとなり、宣伝広告効果として使用することができるといった副次的効果もある。  
【発明の効果】
【００１７】
本発明によれば、枡を使用して酒を飲む場合であっても口から酒がこぼれることなく、また把持している際にも手から滑り落ちにくい枡を提供することができる。
【図面の簡単な説明】
【００１８】
【図１】図１は、本発明の第１実施形態に係る枡の斜視図である。
【図２】図２は、本発明の第１実施形態に係る枡の使用状態を示す斜視図である。
【図３】図３は、本発明の第１実施形態に係る枡を使用して酒を飲む状態を示す模式図である。
【図４】図４は、本発明の第２実施形態に係る枡の斜視図である。
【図５】図５は、本発明の第２実施形態に係る枡に棒状体を挿通した状態を示す斜視図である。
【図６】図６は、本発明の第２実施形態に係る枡の使用状態を示す斜視図である。
【図７】図７は、本発明の第２実施形態に係る枡の変形例を示す斜視図である。
【図８】図８は、本発明の第２実施形態に係る枡のさらなる変形例を示す斜視図である。
【図９】図９は、本発明の第２実施形態に係る枡のさらなる変形例を示す斜視図である。
【図１０】図１０は、本発明の第２実施形態に係る枡にお札を立てた状態を示す斜視図である。
【図１１】図１１は、本発明の第２実施形態に係る枡を直線の棒状体で連結した状態を示す正面図である。
【図１２】図１２は、本発明の第２実施形態に係る枡をＵ字状の棒状体で連結した状態を示す正面図である。
【図１３】図１３は、本発明の第３実施形態に係る枡の斜視図である。
【図１４】図１４は、本発明の第３実施形態に係る枡の斜視図である。
【図１５】図１５は、本発明の枡に係る実施形態の応用例を示す正面図である。
【図１６】図１６は、本発明の枡に係る実施形態の応用例を示す正面図である。
【図１７】図１７は、本発明の枡に係る実施形態の応用例を示す正面図である。
【図１８】図１８は、本発明の枡に係る実施形態の応用例を示す正面図である。
【図１９】図１９は、従来の枡を使用した場合の飲酒時の状態を示す模式図である。
【発明を実施するための形態】
【００１９】
以下、本発明の実施形態について、図面に沿って、詳細に説明する。なお、以下に説明する実施形態及び図面は、本発明の実施形態の一部を例示するものであり、これらの構成に限定する目的に使用されるものではない。なお、各図において対応する構成要素には同一の符号が付されている。
【００２０】
（第１実施形態）
第１実施形態の枡１００は、図１に示すように、全体が立方体で上面が開放された箱状のものである。枡１００の対向する側面１０、２０の上方にそれぞれ貫通孔３０ａ、３０ｂが穿設されている。それぞれの貫通孔３０ａ、３０ｂは、図１に示すように、貫通孔３０ａは側面２０の右側に、貫通孔３０ｂは側面１０の左側に設けられている。
【００２１】
こうして作製された枡１００は、以下のようにして使用される。図２に示すように、貫通孔３０ａに指を押し込むようにして枡１００を把持する。そして、前記枡１００に貫通孔３０a、３０ｂより下方となるように酒を注ぎ入れる。その後、図３に示すように、この状態から枡１００を傾けて手前の貫通孔３０ｂを通して酒を飲む。
【００２２】
係る枡１００を使用することによって、枡１００を把持する際には、指が貫通孔３０ａに引っかかるので、枡１００が指から滑って落ちるのを防止することができる。また、本発明に係る枡１００を使用した場合、貫通孔３０ｂから酒を飲むことになるので、口の左右から酒がこぼれるのを防ぐことができる。さらに、複数の枡１００の貫通孔３０ａ、３０ｂに紐を通すことによって複数の枡１００を連結することができ、多数の枡１００をまとめて運ぶことができる。
【００２３】
（第２実施形態）
第２実施形態の枡１００は、図４に示すように、全体が立方体で上面が開放された箱状のものである。枡１００の対向する側面１０、２０の上方には、それぞれ貫通孔３０ｃ、３０ｄが形成されている。図４に示すように、貫通孔３０ｃ、３０ｄは、それぞれ側面１０、２０の上方でかつ略中央に穿設されている。そして、図５に示すように、両方の貫通孔３０ｃ、３０ｄには１本の棒状体４０が枡１００内側を架設するように、かつ外側に１ｃｍ程度突出するように挿通されている。尚、枡酒は縁起物であるので、図５に示すように側面や底面等に「商売繁盛」、「合格祈願」等の願い事を示唆するような文言を記載したりしてもよい。さらに、棒状体４０の代わりに矢を用いれば、縁起物の枡に槍状のものを通すという意味で、「やり通す」という意味で縁起のよいものとなる。
【００２４】
こうして作製された枡１００は、棒状体４０を取り外して、第１実施形態と同様の方法で使用してもよい。また、棒状体４０を取り付けたままであれば、図６に示すように、指に棒状体４０を乗せるようにして把持する。このように把持すれば、指が棒状体４０を支えるので、枡１００が滑って落ちることがない。こうした状態から図７に示すように、角部１０１の一部を削って飲み口を作製して飲み口から飲んでも良いし、図８に示すように、貫通孔３０ｅの孔を設けて、その貫通孔３０ｅから飲んでもよい。また、貫通孔は必ずしも、完全な丸孔である必要はなく、例えば図９に示すように、貫通孔３０ｆの一部が枡の輪郭まで達しているものであってもよい。
【００２５】
先述したように、枡酒は、祝い事、願い事等を祈願して酒を飲むことが多々あり、枡酒として酒を飲む前に、お札やお守りを飾り付けたりして、願を掛けたり、縁起を担いだりすることが、風習として残っている地域がある。こうした場合に、図１０に示すように、棒状体４０と側面２０との間にお札やお守りを立てることによって、お札やお守りを飾り付けることができる。
【００２６】
また、図１１、図１２に示すように、複数の枡１００を連続して長い棒状体４０、若しくはＵ字状又はコの字状の棒状体４０を通すことによって枡を連結することができるので、まとめて運ぶことができる。なお、棒状体で連結することによって、「結ばれ枡」、「縁結び枡」又は「団結し枡」といったようなよい響きとなり、宣伝広告効果として使用することができる。
【００２７】
（第３実施形態）
第２実施形態の枡１００は、図１３に示すように、全体が立方体で上面が開放された箱状のものである。枡１００の対向する側面には、それぞれ貫通孔３０が側面の上方でかつ略中央にそれぞれ穿設されている。そして貫通孔３０が形成されている側面とは異なる両側面に腕の形を摸した突起６０が設けられている。こうした突起６０を設けることによって、枡の持ちやすさを向上させることができる。また、美的外観として、腕の印象を与えることができるので、図１３の枡であれば、「力こぶ」で元気が出る印象を与えることができる。
【００２８】
なお、突起部６０の形状については、特に限定するものではなく、図１４のように球面突起形状であっても構わないし、板状の突起であっても構わない。
【００２９】
なお、本発明は上述した実施形態で何ら限定されるものではなく、本発明の技術的範囲に属する限りにおいて種々の態様で実施し得る。
【００３０】
前述した第２実施形態においては、縁起を担ぐ人のためにお札等を立てているが、これに限定するのではなく、図１５に示すように、枡自体に縁起のよい文字を記載しておき、携帯電話等を立てかけても構わない。
【００３１】
例えば、上述した第２実施形態においては、１本の棒状体のみを挿通架設できる構成を採用しているが、図１６に示すように、２本の棒状体４０ａ、４０ｂを挿通できるように構成してもよい。係る構成を採用することによって、２本の棒状体４０ａ、４０ｂの間にお札等を直立させることができる。また、図１７に示すように、鉛筆等を槍と見立てて棒状体４０として貫通させれば、「やり通し枡」といった文言とかけて縁起のよいものとなり、その間に鉛筆等を立てて鉛筆立てとして使用してもよい。
【００３２】
また、上述した実施形態においては、直方体の枡を使用しているが、これに限定されるものではなく、多角柱の枡を使用してもよい。例えば、図１８に示したように、五角柱のものを使用すれば、五角と「合格」を掛けて、合格祈願としての枡とすれば、技術的効果に加えて、宣伝広告効果を期待することができる。
【符号の説明】
【００３３】
１００…枡、１０，２０…側面、３０ａ，３０ｂ，３０ｃ，３０ｄ，３０ｅ，３０ｆ…貫通孔、４０，４０ａ，４０ｂ…棒状体
【図１】
2011015717.tif 000003
【図２】
2011015717.tif 000004
【図３】
2011015717.tif 000005
【図４】
2011015717.tif 000006
【図５】
2011015717.tif 000007
【図６】
2011015717.tif 000008
【図７】
2011015717.tif 000009
【図８】
2011015717.tif 000010
【図９】
2011015717.tif 000011
【図１０】
2011015717.tif 000012
【図１１】
2011015717.tif 000013
【図１２】
2011015717.tif 000014
【図１３】
2011015717.tif 000015
【図１４】
2011015717.tif 000016
【図１５】
2011015717.tif 000017
【図１６】
2011015717.tif 000018
【図１７】
2011015717.tif 000019
【図１８】
2011015717.tif 000020
【図１９】
2011015717.tif 000021